(57)【特許請求の範囲】
【請求項１】
移動体のホイールに固定されるマウントと、
前記マウントとベアリングホルダを介してベアリングの内輪と連結される軸受部と、
ベアリングカバーによってベアリングの外輪と接続されて中心から複数方向に延在するアーム部と少なくとも２本の前記アーム部を弧状に連結する連結部及びストッパレバーを備えるアンカープレートと、
前記アンカープレートをストッパレバーで回転させて固定されるディスクボードとを備え、
前記アンカープレートは、アーム部が３本である静止ホイールカバー。
【請求項２】
ストッパレバーは、ディスクボードのサイズに合わせて複数個の貫通口が設けられることを特徴とする請求項１に記載の静止ホイールカバー。
【請求項３】
マウントの軸受側の接合部に設けるボルト貫通孔のテーパ角を貫通させるセンタボルトのテーパ角より小さい値に設定することを特徴とする請求項１又は２に記載の静止ホイールカバー。
【請求項４】
軸受部は、マウントとベアリングホルダとの間にスペーサを挿入することを特徴とする請求項１乃至３いずれか１つに記載の静止ホイールカバー。
【請求項５】
ディスクボードは、ハニカムリブ構造の円盤から形成されることを特徴とする請求項１乃至４いずれか１つに記載の静止ホイールカバー。
【請求項６】
ホイールに固定されるマウントと、
前記マウントとベアリングホルダを介してベアリングの内輪と連結される軸受部と、
ベアリングカバーによってベアリングの外輪と接続されて中心から複数方向に延在するアーム部と少なくとも２本の前記アーム部を弧状に連結する連結部及びストッパレバーを備えるアンカープレートと、
前記アンカープレートをストッパレバーで回転させて固定されるディスクボードとを備え、
前記アンカープレートは、アーム部が３本である静止ホイールカバーを装着した車輪を有する移動体。
【請求項７】
ストッパレバーは、ディスクボードのサイズに合わせて複数個の貫通口が設けられることを特徴とする請求項６に記載の移動体。
【請求項８】
マウントの軸受側の接合部に設けるボルト貫通孔のテーパ角を貫通させるセンタボルトのテーパ角より小さい値に設定することを特徴とする請求項６又は７に記載の移動体。
【請求項９】
軸受部は、マウントとベアリングホルダとの間にスペーサを挿入することを特徴とする請求項６乃至８いずれか１つに記載の移動体。
【請求項１０】
ディスクボードは、ハニカムリブ構造の円盤から形成されることを特徴とする請求項６乃至９いずれか１つに記載の移動体。
【発明の詳細な説明】
【技術分野】
【０００１】
本発明は、乗用車、トラック、バス等を含む移動体の走行時も回転しない静止ホイールカバー並びに静止ホイールカバーを使用した移動体に関し、特に内部においてマウント部の脱着が容易な静止ホイールカバー並びに静止ホイールカバーを使用した移動体に関する。
【背景技術】
【０００２】
自動車のホイールとして装着されながら、走行時も回転しないホイールカバーとして静止型ホイールカバーが提案されている。静止型ホイールカバーに絵や写真や文字が記載されていても走行中でも他者からこれらの絵や写真や文字が回転することなく認識できるため広告用途としては極めて有用性が高い。
【０００３】
この静止型ホイールカバーはすでに幾つか提案されており、例えば特許文献１では「自動車のホイールの中心部に中央部が位置するように該ホイールに固定的に取付けられた固定側取付具と、この固定側取付具の中央部に軸受を介して回転可能に取付けられた少なくとも一側面に一方の係止部が、先端部に取り外し用傾斜面が形成された可動側取付具と、この可動側取付具の先端部に自重により回動できるように取付けられた重りと、前記可動側取付具が挿入され、一方の係止部と係止される他方の係止部が形成された嵌合部材が内壁面に取付けられた前記ホイールとの間に隙間を有するように取付けられた円盤状のホイールカバー本体と、このホイールカバー本体の背面に突出するように形成された使用時に該ホイールカバー本体が抜け脱方向に移動した場合に、前記重りと当接して抜け脱を阻止することができるとともに、取り外し時に重りを上部に位置させ抜き取る場合に前記可動側取付具の取り外し用傾斜面によって通過可能なリング状の抜け脱阻止片とからなる」として、固定側取付具と可動側取付具とは別に重りを有することでホイールを静止させる発明が提案されている。
【０００４】
さらに、特許文献２では「可動側取付具とホイールカバー本体が外れやすくなるため、ホイールカバー本体にロック機構を取付けるという課題が生じている。これに対して、固定具側取付具と、可動側取付具の外周部寄りの部位に取り付けられた位置決め係止片とからなる可動側取付具と、ホイールカバー本体に形成されたノーズの開口部２０を後方に位置させ、可動側取り付けの外周部に形成された複数個の係合凹部内に取り込み、位置決め係止片を開口部の他端側に回動させると係止する複数個の係止片と、位置決め係止片をホイールカバー本体に係止させる位置決め係止片係止手段」とから構成されているので、ホイールカバー本体を可動側取付具に容易かつ確実に嵌合固定することができる発明が提案されている。
【０００５】
【特許文献１】特許第３１７０５９２号公報
【特許文献２】国際公開第２００５／５１６８０号パンフレット
【発明の開示】
【発明が解決しようとする課題】
【０００６】
従来の静止型ホイールカバーでは静止ホイールカバー側に接続される可動側取付具の形状が、円盤型や板状型であるために、ホイール側に接続する固定側取付具すなわち、マウントを遮蔽してしまい、ホイール側へのボルトのネジ止め固定やタイヤの交換時にこれらの遮蔽を避けて締結するために、これらの交換等の作業が煩雑なものとなっている。
【０００７】
また、従来の静止型ホイールカバーでは、ホイールを静止させるために、専ら重りが使用されている。これらの重りは、可動側取付具や固定側取付具とは別個の部品であるため、静止型ホイールカバーの部品数を増大させている。
【０００８】
さらに、静止ホイールカバーは広告の掲載を行う場合が多い。この場合には、広告を掲載するために、平坦でより広い面積の確保できる静止ホイールカバーが好まれる。
【０００９】
加えて、交通安全上の観点からも、突起物のないより平坦性の高い静止ホイールカバーであることが望ましい。
【００１０】
一方、ホイールカバーとしては、燃費が向上するなど経済的には、より軽量であることが必要である。そこで、平坦で凹凸のない形状とするには静止ホイールカバーの形状を薄型化することが好ましい。しかしながら、樹脂材料で作成する場合は、静止ホイールカバー等の大きさの程度の成型品である場合に、樹脂の厚みを一定以下の厚みをさらに薄型化するのは難しく、強度を保ちつつ薄型化を同時に解決するのは困難である。
【００１１】
そこで、本発明の目的は、ホイール側へのボルトのネジ止め固定やタイヤの交換を容易にし、静止ホイールカバー全体の部品数を削減する静止ホイールカバー並びに静止ホイールカバーを使用した移動体を提供することにある。
【課題を解決するための手段】
【００１２】
前記の課題を解決するために本発明に係る静止ホイールカバーは、移動体のホイールに固定されるマウントと、前記マウントとベアリングホルダを介してベアリングの内輪と連結される軸受部と、ベアリングカバーによってベアリングの外輪と接続されて中心から複数方向に延在するアーム部と少なくとも２本の前記アーム部を弧状に連結する連結部及びストッパレバーを備えるアンカープレートと、前記アンカープレートをストッパレバーで回転させて固定されるディスクボードとを備え、前記アンカープレートは、アーム部が３本である。
【００１４】
ストッパレバーは、ディスクボードのサイズに合わせて複数個の貫通口が設けられることを特徴とする。
【００１５】
また、マウントの軸受側の接合部に設けるボルト貫通孔のテーパ角を貫通させるセンタボルトのテーパ角より小さい値に設定することを特徴とする。
【００１６】
加えて、軸受部は、マウントとベアリングホルダとの間にスペーサを挿入することを特徴とする。
【００１７】
さらに、ディスクボードは、ハニカムリブ構造の円盤から形成されることを特徴とする。
【００１８】
更に本発明に係る移動体は、ホイールに固定されるマウントと、前記マウントとベアリングホルダを介してベアリングの内輪と連結される軸受部と、ベアリングカバーによってベアリングの外輪と接続されて中心から複数方向に延在するアーム部と少なくとも２本の前記アーム部を弧状に連結する連結部及びストッパレバーを備えるアンカープレートと、前記アンカープレートをストッパレバーで回転させて固定されるディスクボードとを備え、前記アンカープレートは、アーム部が３本である静止ホイールカバーを装着した車輪を有する。
【００２０】
ストッパレバーは、ディスクボードのサイズに合わせて複数個の貫通口が設けられることを特徴とする。
【００２１】
また、マウントの軸受側の接合部に設けるボルト貫通孔のテーパ角を貫通させるセンタボルトのテーパ角より小さい値に設定することを特徴とする。
【００２２】
さらに、軸受部は、マウントとベアリングホルダとの間にスペーサを挿入することを特徴とする。
【００２３】
加えて、ディスクボードは、ハニカムリブ構造の円盤から形成されることを特徴とする。
【００２４】
ここで、移動体とは、普通自家用車や軽自動車などの乗用車やタクシーやバス、トラックなどの商用車のいずれの自動車が一般的であるが、自転車や三輪車、車椅子、リヤカーなどの軽車両や、原動機付き自転車、二輪車等も当然含まれる。さらに、ピザの宅配のような運搬用三輪バイク、ゴルフカート、ベビーカー、セグウェイ（登録商標）、観光用人力車など、車輪付きの移動体の「車輪」であれば何でも対象となることはいうまでもない。
【発明の効果】
【００２５】
本発明に係る静止ホイールカバーを用いることで、静止ホイールカバー側に接続される可動側取付具が、ホイール側に接続する固定側取付具すなわち、マウントを遮蔽することなく作業ができるために、マウントのネジ止め固定が容易となる。
【００２６】
さらに、本発明に係る静止ホイールカバーを用いることで、各部品が複数の機能を果たすことで構造が単純となり、部品数を削減して製造コストを低下させることができる。
【００２７】
加えて、本発明に係る静止ホイールカバーを用いることで、ハニカムリブ構造を採用することにより薄型でありながら強度を高くすることが可能になる。
【００２８】
さらに、ストッパレバーにディスクボードのサイズに合わせて複数の貫通口を設けることでホイールサイズの異なる車輪に対しても、一つのストッパレバーで様々なサイズのタイヤに採用できる。
【発明を実施するための最良の形態】
【００２９】
以下に、この発明の実施形態例を、図面を用いて説明する。
【実施例１】
【００３０】
実施例１として図１乃至図７及び図１６を用いて、本発明に係る静止ホイールカバー２について説明する。この静止ホイールカバー２は、普通自家用車や軽自動車などの乗用車やタクシーやバス、トラックなどの商用車のいずれの自動車のホイールに装着可能なものである。
【００３１】
この静止ホイールカバー２は、自動車４のホイール６に固定されるマウント８と、前記マウント８とベアリングホルダ１０を介してベアリング１２の内輪と連結される軸受部１４と、ベアリングカバー３６によってベアリング１２の外輪と接続されて中心から３方向にのみ延在するアーム部１８と少なくとも２本の前記アーム部１８を弧状に連結する連結部２０及びストッパレバー１６を備えるアンカープレート２２と、前記アンカープレート２２をストッパレバー１６で回転させて固定されるディスクボード２４とから構成される。
【００３２】
アンカープレート２２は、アーム部が３本であることを特徴とする。
【００３３】
マウント８は、縁部の幅が広い皿形状に構成され、縁部にはホイールと静止ホイールカバーを結合させるホイールボルトを固定するために複数個の貫通口が開口している。また、マウント８の皿形状の底の部分にはベアリングホルダ１０とマウント８とを固定するためのセンタボルト２６用の軸受接合用貫通口２８が開口される。マウント８の縁部は最外周部に折返しリムが設置される。
【００３４】
図４に示すように軸受接合用貫通口２８は、その端面にテーパが形成される。一方、センタボルト２６のねじ頭にもテーパが形成され、センタボルト２６のテーパ角が軸受接合用貫通口２８のテーパ角より大きく設定する。このように構成することで、センタボルト２６の中心が、軸受接合用貫通口２８の中心に常に設定されるように自動調心される。軸受接合用貫通口２８の中心が常に設定されるようにするために、センタボルトに代わって、ネジ棒と側面にテーパが設けられたテーパ付ナットを用いることは設計変更の範囲内である。
【００３５】
軸受部１４は、マウント８に隣接して筒型のセンタスペーサ３０と、前記センタスペーサ３０に隣接して係止用のワッシャであるセンタボルトスプリングロックワッシャ３２と、センタスペーサ３０の外周にディスクボード２４をアンカープレート２２に固定するためのレバーであるストッパレバー１６が配置される。
【００３６】
このストッパレバー１６は皿形状のベアリングカバー３６にネジ止め固定され、このベアリングカバー３６とアンカープレート２２の間にベアリング１２とロケーティングスナップリング３８が挿入される。
【００３７】
ストッパレバー１６は、アンカープレート２２を回転させてディスクボード２４に装着する場合と、脱着する際のレバーである。
【００３８】
ストッパレバー１６は、図７に示すようにタイヤのサイズに合わせて複数の形態をとりうる。図７（ａ）は、アンカープレート２２との結合部が単一の円形の貫通口６２と外周部６０とから構成され、その支点は本発明の静止ホイールカバー２の中心に位置するため操作が安定する。この場合は、スットパレバーの伸縮長さを超える複数のサイズのディスクカバーに対応することはできない。
【００３９】
図７（ｂ）は、アンカープレート２２との結合部が２つの円形の貫通口６６、６８とが重なって開口し、外周部６４も貫通口６６、６８を８の字形状に囲うように構成される。異なる２つのサイズのディスクボードに対応することができる。
【００４０】
図７（ｃ）は、さらに貫通口が３個存在するストッパレバー１６が配置されて、貫通口７０、７２、７４が配置される。３サイズのディスクボードに対応可能である。これらの貫通口７０、７２、７４を外周部７６が囲うよう構成される。
【００４１】
図２によれば、ストッパレバー１６の結合部とは逆側にグリップ３４が設けられる。グリップ３４は、タイヤ及びホイールの大きさによってストッパレバー１６の長さが変更となるため、常にディスクボードの外周部に位置し、かつ、グリップ３４の摺移動により長さが変更となる。
【００４２】
さらに、グリップ３４が静止ホイールカバー２のディスクボード２４の裏面に突設される一対のグリップ係止部５８間に挟持されて固定される。ディスクボード交換時は逆にグリップ３４がグリップ係止部５８の挟持から開放される。
【００４３】
なお、グリップ３４にはグリップ突設部３５を備える。このグリップ突設部３５がディスクボード２４裏面に接するために、グリップ３４全体がディスクボード２４裏面に接する事を防ぎ、操作性を向上させている。
【００４４】
ベアリング１２の内周にセンタボルト２６をネジ止めするためのベアリングホルダ１０が挿入される。以上のマウント８よりベアリングホルダ１０からなる軸受部１４の中心をセンタボルト２６が貫通する。
【００４５】
このセンタボルト２６は、センタスペーサ３０とセンタボルトスプリングロックワッシャ３２と、ベアリングホルダ１０に固定されベアリング１２の内輪と共に回転する。
【００４６】
一方、ベアリングカバー３６とベアリング１２の外輪とアンカープレート２２とディスクボード２４が一体化されるので、これらのディスクボード２４が回転するのが阻止される（図３）。
【００４７】
アンカープレート２２は、中心にベアリング１２の内輪より直径の大きい開口部４０が設けられ、開口部４０の外周にベアリング１２の外輪が係止される段部４２が設けられる。アンカープレート２２はその中心から１２０度間隔で３方向にアーム部１８が延在する。アーム部１８の先端には、ディスクボード２４の係止部が係止するための開口部４４が開口する。
【００４８】
また、３本のアーム部１８のうち、使用時に鉛直方向の下側に位置する２本のアーム部１８同士の間に弧状に連結される連結部２０が設けられる。アンカープレート２２は、ディスクボード２４と係止して結合する。アーム部１８と連結部２０は、互いにその間が空間であるため、アンカープレート２２を外すことなくマウント８のネジ止め固定等が可能である（図５（ａ））。また、アンカープレート２２では、連結部２０の存在により、特になんら部品を追加することなく、アンカープレート２２とディスクボード２４の重心を低下させて、ディスクボード２４の回転を停止させることが可能となる。
【００４９】
ディスクボード２４は、端部にリブ４６が設けられた円盤状のディスクであり、その一端部が気流を通過させるために切り欠５０が設けられている。ディスクボード２４の表面は金属もしくは樹脂で形成されて平坦面が形成される。
【００５０】
一方、ディスクボード２４の裏面には一部を除き全面にハニカム構造のリブ４８が設けられる。このハニカム構造の採用によって、ディスクボード２４の強度が向上したため、薄型化を容易に採用することができる（図４）。
【００５１】
さらに、切り欠５０を水平方向横向きに配置した際に、ディスクボード２４の中心から放射状に６方向にハニカム構造を設けないアンカープレート配置部５２が設けられる。アンカープレート配置部５２は、アンカープレート２２のアーム部１８を上向きに装着した場合と、下向きに装着した場合にアンカープレート２２の端部の開口部４４に対応する位置に下向きに押圧するように、ディスクボード２４の裏面から突設されて中心方向に折り曲げられて水平方向に水平部が突設されて、この水平部５５からディスクボード２４方向に半球形状の下向き押圧部が設けられる。又その脇に開放用スペース５７が設けられている。
【００５２】
加えて、ディスクボード２４のハニカム構造のリブ４８の一部に円周の一部から切り欠きへ向けて気流を整流するためのリブ５６が設けられる。
【００５３】
また、ディスクボード２４の裏面の切り欠５０の近傍にストッパレバー１６のグリップ３４を係止するためのグリップ係止部５８が突設される。
【００５４】
続いて本発明に係る静止ホイールカバー２の動作について図２と図６を用いて説明する。先ず、ベアリング１２内にベアリングホルダ１０を挿入してロケーティングスナップリング３８で固定する。これをアンカープレート２２とベアリングカバー３６で挟みこみ、ストッパレバー１６を重ねてベアリングカバー３６の４隅に相当する位置でネジ止め固定する。
【００５５】
このネジ止め固定したものに対して、マウント８とセンタスペーサ３０とセンタボルトスプリングロックワッシャ３２を重ねてセンタボルト２６で貫通させてベアリングホルダ１０で固定する。これによって、マウント８からアンカープレート２２が一体化する。
【００５６】
この状態でマウント８を図５（ａ）、（ｂ）、図６に示すようにホイール６にホイールボルトで固定する。このとき、図５（ａ）に示すようにマウント８のホイールボルトはアンカープレート２２のアーム１８との干渉が少なく、ボルトのネジ締めが容易であることが明らかである。ホイールボルトのネジ締めによってアンカープレート２２までが、ホイール６に固定される。
【００５７】
次に、ディスクボード２４の開放用スペース５７にアンカープレート２２の開口部４４が一致するように重ねあわせ、ディスクボード２４について中心を軸に右側へ回転させることで、開口部４４がディスクボード２４方向に半球形状の下向き押圧部と係止されて固定される。ここで、ディスクボード２４が回転していても、アンカープレート２２の連結部２０が鉛直下部となるように戻る。また、ディスクボード２４の切り欠５０は必ず進行方向に対して反対側となるように設定される。
【００５８】
この状態で自動車を走行させると、ディスクボード２４とタイヤ５やホイール６との間に気流が生じるが、いずれも気流を整流するためのリブ５６によって整流されて、切り欠５０から気流が流れる。また、自動車の走行によるホイールの回転は、ベアリング１２で遮断されるため、ディスクボード２４は、常に切り欠５０を進行方向と逆方向となるように静止する。
【００５９】
以上の構成により、静止ホイールカバー側に接続される可動側取付具が、ホイール側に接続する固定側取付具すなわち、マウントを遮蔽することなく作業ができるために、マウントのネジ止め固定が容易となる。
【００６０】
さらに、各部品が複数の機能を果たすことで構造が単純となり、部品数を削減して製造コストを低下させることができる。
【００６１】
加えて、ハニカムリブ構造を採用することにより薄型でありながら強度を高くすることが可能になる。
【実施例２】
【００６２】
実施例１では５穴のマウント８について説明したが、ホイールや車種によって当然装置の金具は変更が必要となる。マウント８に変わって採用されうるマウントを図８より図１５に示す。特にマウントは６穴の場合もあり、さまざまなマウントで対応可能であり、図８から図１５に示す。図８、９では２穴マウントを示し、図１０、図１１および図１２では３穴のマウントでありアーム形式が採用されている。図１３も３穴であるがセンターの指示部の形状が円形である。図１４、１５は多数個穴用のマウントであり、図１４に５穴マウント、図１５に６穴マウントを示す。図１６は、本発明の静止ホイールカバー２を自動車の前後のホイールに装着させて適用した実施例である。
【００６３】
なお、移動体については、実施例１および２では自動車を中心に説明したが、車輪を有するものであれば自動車のみに限定されるものではなく、普通自家用車や軽自動車などの乗用車やタクシーやバス、トラックなどの商用車のいずれの自動車が一般的であるが、自転車や三輪車、車椅子、リヤカーなどの軽車両や、原動機付き自転車、二輪車等も当然含まれる。さらに、ピザの宅配のような運搬用三輪バイク、ゴルフカート、ベビーカー、セグウェイ（登録商標）、観光用人力車など、車輪付きの移動体の「車輪」であれば何でも対象となることはいうまでもない。
【産業上の利用可能性】
【００６４】
本発明に係る静止ホイールカバー２の採用によりホイール６の外形が平坦化することで、ホイールの凹凸に起因する事故などを未然に防止することとなる。
【００６５】
また、脱着が容易で静止ホイールカバー２の平坦部の多いものについて広告に十分活用が可能である。
【図面の簡単な説明】
【００６６】
【図１】本発明に係る実施例１に示される静止ホイールカバーの全体構成図である。
【図２】本発明に係る実施例１に示される静止ホイールカバーの組立図である。
【図３】本発明に係る実施例１に示される静止ホイールカバーにおけるアンカープレートの組立図である。
【図４】本発明に係る実施例１に示される静止ホイールカバーの縦断面図である。
【図５】本発明に係る実施例１に示される静止ホイールカバーをタイヤに装着した際の構成図であって、（ａ）ディスクボードを透視したもの、（ｂ）ディスクボードを可視としたものである。
【図６】本発明に係る実施例１に示される静止ホイールカバーをタイヤに装着した際の縦断面図である。
【図７】本発明に係る実施例１に示される静止ホイールカバーのストッパレバーの構成図であって、（ａ）１ホール型ストッパレバー、（ｂ）２ホール型ストッパレバー、（ｃ）３ホール型ストッパレバーの各構成図である。
【図８】本発明に係る実施例２に示される静止ホイールカバーのマウントの構成図である。
【図９】本発明に係る実施例２に示される静止ホイールカバーのマウントの構成図である。
【図１０】本発明に係る実施例２に示される静止ホイールカバーのマウントの構成図である。
【図１１】本発明に係る実施例２に示される静止ホイールカバーのマウントの構成図である。
【図１２】本発明に係る実施例２に示される静止ホイールカバーのマウントの構成図である。
【図１３】本発明に係る実施例２に示される静止ホイールカバーのマウントの構成図である。
【図１４】本発明に係る実施例２に示される静止ホイールカバーのマウントの構成図である。
【図１５】本発明に係る実施例２に示される静止ホイールカバーのマウントの構成図である。
【図１６】本発明に係る実施例１に示される静止ホイールカバーを車に装着した場合の構成図である。
【符号の説明】
【００６７】
２    静止ホイールカバー
４    自動車
５    タイヤ
６    ホイール
８    マウント
１０  ベアリングホルダ
１２  ベアリング
１４  軸受部
１６  ストッパレバー
１８  アーム部
２０  連結部
２２  アンカープレート
２４  ディスクボード
２６  センタボルト
２８  軸受接合用貫通口
３０  センタスペーサ
３２  センタボルトスプリングロックワッシャ
３４  グリップ
３５  グリップ突設部
３６  ベアリングカバー
３８  ロケーティングスナップリング
４０  開口部
４２  段部
４４  開口部
４６  リブ
４８  リブ
５０  切り欠
５２  アンカープレート配置部
５５  水平部
５６  リブ
５７  開放用スペース
５８  グリップ係止部
６０  外周部
６２  貫通口
６４  外周部
６６、６８  貫通口
７０、７２、７４  貫通口
７６  外周部
【図１】
0004235234.tif 000002
【図２】
0004235234.tif 000003
【図３】
0004235234.tif 000004
【図４】
0004235234.tif 000005
【図６】
0004235234.tif 000006
【図７】
0004235234.tif 000007
【図８】
0004235234.tif 000008
【図９】
0004235234.tif 000009
【図１０】
0004235234.tif 000010
【図１１】
0004235234.tif 000011
【図１２】
0004235234.tif 000012
【図１３】
0004235234.tif 000013
【図１５】
0004235234.tif 000014
【図５】
0004235234.tif 000015
【図１４】
0004235234.tif 000016
【図１６】
0004235234.tif 000017